(57)【要約】      （修正有）【課題】液体噴出作業を極めて楽に行うとともに、液体の凍結を防止することができる液体噴出装置を提供する。【解決手段】液体噴出装置Ａは、開閉可能な箱体１内に、噴出ノズル２と、当該噴出ノズル２に配管されるホース３と、当該ホース３を巻き取るリール４と、液体タンク５と、当該液体タンク５の液体５１をホース３に圧送する電動ポンプ６と、箱体１内を加温するための電気ヒーター７とが内蔵されている。また、箱体１の外側には、前記電動ポンプ６と電気ヒーター７用の電線８と、同じく電動ポンプ６と電気ヒーター７用のＯＮ・ＯＦＦスイッチ９が設けられている。【選択図】図１
0003105438.tif 000002
【実用新案登録請求の範囲】
【請求項１】
開閉可能な箱体内に、少なくとも、噴出ノズルと、当該噴出ノズルに配管されるホースと、当該ホースを巻き取るリールと、液体タンクと、当該液体タンクの液体をホースに圧送する電動ポンプと、箱体内を加温する電気ヒーターとが内蔵され、前記電動ポンプおよび電気ヒーター用の電線を備えている液体噴出装置。
【請求項２】
電動ポンプおよび電気ヒーターの電線および操作スイッチが箱体の外側に有る請求項１に記載の液体噴出装置。
【請求項３】
電動ポンプおよび電気ヒーターの電源が自動車用シガーライターである請求項１または請求項２に記載の液体噴出装置。
【請求項４】
前記リールを巻取り回転させる操作ハンドルが、箱体の外側に設けられている請求項１ないし請求項３いずれか１項に記載の液体噴出装置。
【請求項５】
箱体が断熱構造を有するものである請求項１ないし請求項４いずれか１項に記載の液体噴出装置。
【考案の詳細な説明】
【技術分野】
【０００１】
本考案は、液体噴出装置に関し、詳しくは、液体噴出作業が楽に行えるとともに、液体の凍結を防止する液体噴出装置に関する。
【背景技術】
【０００２】
従来、消毒液や液体肥料あるいは洗浄水等の液体の噴出作業には、作業者が噴射ノズル、ホース、ポンプを備えた液体タンクを背負って行っている。
また、前記液体タンクは、ポンプが手動のものと、電動のものとがあるが、電動ポンプを備えた液体タンクでは、電動ポンプ用のバッテリーも一緒に持つ必要がある。
【考案の開示】
【考案が解決しようとする課題】
【０００３】
ところで、前記した液体タンクを背負って噴出作業を行うのは、相当な体力を要し、特に、バッテリーが必要なものにおいては、高齢の作業者にとって極めて重労働であって、この高齢の作業者でも液体噴出作業を楽に行える装置が望まれている。
また、液体タンクを自動車に積んで運搬する際に、気温が低い場合に液体タンク内の液体が凍結することもあって、必要なときに液体が噴出できないということもあった。
なお、液体噴出作業を楽に行うとともに、凍結をも防止する装置に関する先行技術文献情報は、本願出願人の知り得る範囲において存在しない。
【０００４】
そこで本考案は、液体噴出作業を極めて楽に行うとともに、液体の凍結を防止することを課題とし、この課題を解決した液体噴出装置の提供を目的とする。
【課題を解決するための手段】
【０００５】
上記目的を達成するために本考案が採用した技術的手段は、開閉可能な箱体内に、少なくとも、噴出ノズルと、当該噴出ノズルに配管されるホースと、当該ホースを巻き取るリールと、液体タンクと、当該液体タンクの液体をホースに圧送する電動ポンプと、箱体内を加温する電気ヒーターとを内蔵し、前記電動ポンプおよび電気ヒーター用の電線を備えた液体噴出装置にしたことである。（請求項１）
【０００６】
また、電動ポンプや電気ヒーターの操作性の向上という観点から、電動ポンプおよび電気ヒーターの電気配線および操作スイッチを箱体の外側にすることが好ましい。（請求項２）
また、電動ポンプおよび電気ヒーターの電源は、自動車用シガーライターソケットや家庭用コンセントいずれでもよいが、自動車で運搬してあらゆる作業場所で作業を行うという観点から、電動ポンプおよび電気ヒーターの電源を自動車用シガーライターとすることが好ましい。（請求項３）
この場合、前記電源に挿し込まれるプラグは、基本的には自動車用シガーライターソケット用であるが、家庭用コンセント用でも、アダプター等を用いることによって自動車用シガーライターソケットに対応することができる。
操作性をさらに向上させるために、前記ホースリールを巻取り回転させる操作ハンドルを、箱体の外側に設けることが好ましい。（請求項４）
たとえば、前記電気ヒーターの熱を逃がさないようにして、消費電力を少なくするために、箱体が断熱構造を有するものであることが好ましい。（請求項５）
【考案の効果】
【０００７】
本考案は、以上の構成により、下記の効果が期待できる。
請求項１の考案によれば、電線を電源に配線し、箱体内からホースを繰り出せば、液体噴出作業時には、液体噴出装置を持ったり担いだりせずに、液体噴出作業を行うことができる。
また、電気ヒーターによって箱体内を加温するので、液体タンク内の液体の凍結を防止できる。
さらに、液体噴出作業に必要な部品を箱内に内蔵しているので、運搬性や仕舞性の向上にも有効である。
請求項２の考案によれば、電動ポンプや電気ヒーターの操作性を向上させることができる。
請求項３の考案によれば、自動車に乗せたまま、液体噴出作業を行うことができる。
請求項４の発明によれば、ホースリールを内蔵したままでホースを巻き取ることができる。
請求項５の考案によれば、箱体内の熱を逃がさないので、電気ヒーターに用いる消費電力を少なくすることができる。
【考案を実施するための最良の形態】
【０００８】
以下、本考案の液体噴出装置の実施の形態を図１に基づいて説明する。
本実施の形態の液体噴出装置Ａは、開閉可能な箱体１内に、噴出ノズル２と、当該噴出ノズル２に配管されるホース３と、当該ホース３を巻き取るリール４と、液体タンク５と、当該液体タンク５の液体５１をホース３に圧送する電動ポンプ６と、箱体１内を加温するための電気ヒーター７とが内蔵されている。
また、箱体１の外側には、前記電動ポンプ６と電気ヒーター７用の電線８と、同じく電動ポンプ６と電気ヒーター７用のＯＮ・ＯＦＦスイッチ９が設けられている。
【０００９】
箱体１は、クーラーボックスのような断熱構造（図示せず）を有するものであり、容体１１と、当該容体１１を開閉可能、かつ密閉状に蓋する蓋する蓋体１２と、肩掛けベルト１３を備えてなる周知の構造のものである。
【００１０】
噴出ノズル２は、手持ちタイプの周知の構造をなすものであり、リール４にまかれるホース３に連結される。
ホース３は、通常用いられるゴム材や軟質の合成樹脂材を用いてなる周知のものである。
【００１１】
リール４は、スプール４１が容体１１の内側に設けられたケーシング１４に内蔵されている。
ケーシング１４の上方には、ホース３の出し入れの開口部１５が開口されている。
前記スプール４１は、容体１１の側面とケーシング１４の側面に亘って回転可能に架設された回転軸４２に一体回転するように支持されている。
回転軸４２は、容体１１の側面を貫通し、その突出した回転軸４２に部分にスプール４１を回転させる操作ハンドル４３が固着されている。  
【００１２】
液体タンク５は、液体５１を貯水する容器５２と、容器５２を開閉可能に蓋する蓋部５３からなるものである。
蓋部５３には吸上げ用パイプ６１が貫通されていて、当該吸上げ用パイプ６１の先端が前記容器５２の底部付近まで至るようにされている。
【００１３】
電動ポンプ６は、電動のものであり、前記電線８が配線（図示せず）され、前記スイッチ９のＯＮ・ＯＦＦ操作によって作動するようにされている。
電動ポンプ６には、前記吸上げ用パイプ６１が配管されるとともに、液体５１をリール４に巻かれた撒かれたホース３に供給する供給管６２が配管されている。
供給管６２は、リール４の回転軸４２と同軸線上に設けられた接続部４４に接続されている。
なお、本実施例のリール４は、前記回転軸４２が通水可能なパイプ状のものであり、このような回転軸４２に前記接続部４４を遊転可能、かつ水密状に接続することによって、回転軸４２の回転が接続部４３に伝わらないようにしている周知の構造のものである。
また、前記回転軸４２の外周には、前記ホース３が接続される接続具（図示せず）が設けられていて、前記電動ポンプ６から前記供給管６２から回転軸４２を介して供給される液体を接続具から前記ホース３に供給するようにした周知の構造のものである。
【００１４】
電気ヒーター７は、気温が低い時期において液体タンク中の液体の凍結を防ぐためのものであり、前記電線８が配線（図示せず）され、前記スイッチ９のＯＮ・ＯＦＦ操作によって作動するようにされている。
電線８には、自動車用シガーライターソケットに対応するプラグ８１が備えられている周知の構造のものである。
スイッチ９は、前記したように電動ポンプ６および電気ヒーター７をＯＮ・ＯＦＦする周知の構造のものである。
【００１５】
このように構成した液体噴出装置Ａの使用方法を説明する。
まず、液体噴出装置Ａを自動車に載せて運搬し、作業場所において、当該装置を自動車に載せたまま、自動車用シガーライターソケットにプラグ８１を差込みスイッチ９をＯＮする。
そして、箱体１の蓋体１２を開けて、噴出ノズル２をホース３と共に引き出して、目的の部位に液体を噴出する。
片付ける際には、操作ハンドル４３を回転させてホース３を巻き取って噴出ノズル容体１１に収納し、蓋体１２を閉め、スイッチ９をＯＦＦしてプラグ８１を抜けばよい。
また、気温が低い場合には、移動中においてプラグ８１を自動車用シガーライターソケットに差し込んで、電気ヒーター７を作動させた状態としておけば、使用する際に液体１１の凍結を防止することができる。
【００１６】
なお、本考案は、例示した実施の形態に限定するものではなく、実用新案登録請求の範囲の各項に記載された内容から逸脱しない範囲で、他の構成による実施も任意である。
【図面の簡単な説明】
【００１７】
【図１】本考案に係る液体噴出装置の断面図である。
【符号の説明】
【００１８】
Ａ：液体噴出装置
１：箱体１
２：噴出ノズル
３：ホース
４：リール
５：液体タンク
６：電動ポンプ
７：電気ヒーター
８：電線
９：スイッチ
１１：容体
１２：蓋体
４３：操作ハンドル
５１：液体
８１：プラグ
【図１】
0003105438.tif 000003